(57)【要約】【課題】  音声信号に対する信号処理に要する音声信号処理装置の処理量を低減することができ、ひいては、ユーザの要求に対応した所望の信号処理を確実に行うことができ、聴取品位を向上させることができる「音声再生装置」を提供すること。【解決手段】  音声信号処理装置８が、入力音声信号のうちの可聴帯域における所定の周波数以下の周波数を有する低周波音声信号に対しては、ダウンサンプリング処理後に信号処理を行うように形成され、前記入力音声信号のうちの前記可聴帯域における所定の周波数よりも高い周波数を有する高周波音声信号に対しては、前記信号処理を行わないように形成されていること。【選択図】      図１
2007041298.tif 000002
【特許請求の範囲】
【請求項１】
所定のサンプリング周波数によってサンプリングされた入力音声信号に対する信号処理を行う音声信号処理装置を備えた音声再生装置であって、
前記音声信号処理装置が、
前記入力音声信号のうちの可聴帯域における所定の周波数以下の周波数を有する低周波音声信号に対しては、ダウンサンプリング処理後に前記信号処理を行うように形成され、
前記入力音声信号のうちの前記可聴帯域における所定の周波数よりも高い周波数を有する高周波音声信号に対しては、前記信号処理を行わないように形成されていること
を特徴とする音声再生装置。
【請求項２】
前記音声信号処理装置が、前記高周波音声信号と前記信号処理が行われた後の前記低周波音声信号との同期を保持するように形成されていること
を特徴とする請求項１に記載の音声再生装置。
【請求項３】
前記音声信号処理装置が、
前記入力音声信号を前記高周波音声信号と前記低周波音声信号とに分離する音声信号分離手段と、
この音声信号分離手段によって分離された前記低周波音声信号に対して前記ダウンサンプリング処理を行うダウンサンプリング処理手段と、
このダウンサンプリング処理手段によって前記ダウンサンプリング処理が行われた前記低周波音声信号に対して前記信号処理を行う音声信号処理手段と、
この音声信号処理手段によって前記信号処理が行われた前記低周波音声信号に対して前記ダウンサンプリング処理が行われる前のサンプリング周波数に戻すアップサンプリング処理を行うアップサンプリング処理手段と、
前記音声信号分離手段によって分離された前記高周波音声信号に対して、前記アップサンプリング手段による前記アップサンプリング処理が行われた前記低周波音声信号との同期を保持するために時間および位相の少なくとも一方についての遅延処理を行う遅延処理手段と、
この遅延処理手段によって前記遅延処理が行われた前記高周波音声信号と前記アップサンプリング処理手段によって前記アップサンプリング処理が行われた前記低周波音声信号とを混合する混合手段と、
この混合手段によって混合された信号をアナログの出力音声信号に変換する変換手段と
を備えたことを特徴とする請求項２に記載の音声再生装置。
【請求項４】
前記音声信号処理装置が、ＤＳＰであることを特徴とする請求項１乃至請求項３のいずれか１項に記載の音声再生装置。
【請求項５】
自動車に搭載されることを特徴とする請求項１乃至請求項４のいずれか１項に記載の音声再生装置。
【発明の詳細な説明】
【技術分野】
【０００１】
本発明は、音声再生装置に係り、特に、所定のサンプリング周波数によってサンプリングされた音声信号に対して信号処理を行うのに好適な音声再生装置に関する。
【背景技術】
【０００２】
従来から、カーオーディオ機器やホームオーディオ機器等の音声再生装置には、音声（Audio）信号に対する信号処理を行う音声信号処理装置として、ＤＳＰ（Digital Signal Processor）が搭載されていた。
【０００３】
この種のＤＳＰは、ＣＤやＤＶＤ-Videoのように、音声信号をデジタル信号化する際のサンプリング周波数が、４４．１ｋＨｚまたは４８．０ｋＨｚとされたフォーマットに対応したものが中心であった。
【０００４】
このようなサンプリング周波数（４４．１ｋＨｚ、４８．０ｋＨｚ）の音声信号は、データ数が少ないため、ＤＳＰによる処理を確実に行うことが可能であった。
【０００５】
これに対し、現在は、高音質の音声信号を得るために、高いサンプリング周波数でサンプリングを行うものが多くなっている。
【０００６】
例えば、スーパーオーディオＣＤや、ＤＶＤ-Audioでは、１９２ｋＨｚのサンプリング周波数でサンプリングを行うようになっている。
【０００７】
図２は、このような音声信号に対する信号処理を行う機能を備えた従来の音声再生装置の一例を示したものであり、この音声再生装置１は、前述したＤＳＰ２を備えている。
【０００８】
ＤＳＰ２は、音声信号に対する信号処理を行う信号処理部３を有しており、この信号処理部３には、ＤＳＰ２の外部の音源（ＣＤ／ＤＶＤプレーヤ等）側から、１９２ｋＨｚのサンプリング周波数Ｆｓによるサンプリングによってデジタル信号化された入力音声信号が入力されるようになっている。
【０００９】
そして、ＤＳＰ２は、入力された入力音声信号（Ｆｓ＝１９２ｋＨｚ）に対して音場補正等の信号処理を行い、この信号処理を行った信号を出力するようになっている。
【００１０】
ＤＳＰ２の出力側には、ＤＡＣ（Digital to Analog Converter）５が接続されており、このＤＡＣ５には、信号処理部３によって信号処理が行われた後の音声信号が入力されるようになっている。
【００１１】
そして、ＤＡＣ５は、信号処理部３側から入力された音声信号をアナログ信号化して、これを出力音声信号としてスピーカ側に出力するようになっている。
【００１２】
このようにして、音場補正等の信号処理が行われた音声が再生されるようになっていた。
【００１３】
【特許文献１】特開平７−３０６６８４号公報
【発明の開示】
【発明が解決しようとする課題】
【００１４】
しかしながら、従来のＤＳＰ２の設計では、音声信号のサンプリング周波数が高いほどデータ数が多くなり、音声信号に対する信号処理に要するＤＳＰ２の処理量（演算回数等）が増大するといった問題が生じていた。
【００１５】
換言すれば、従来は、音声信号のサンプリング周波数が高くなるほど、ＤＳＰ２が一度に処理することができる処理数、すなわち、ＤＳＰ２が一度に実行する処理の種類（例えば、音量を調整する処理や、イコライザを調整する処理等の処理の種類）が減少していた。
【００１６】
例えば、サンプリング周波数が４８ｋＨｚの場合と１９２ｋＨｚの場合とを比較すると、１９２ｋＨｚの場合には、４８ｋＨｚの場合に比べてデータ数が４倍となり、処理数が１／４倍となっていた。
【００１７】
そこで、本発明は、このような問題に鑑みなされたものであり、音声信号に対する信号処理に要する音声信号処理装置の処理量を低減することができ、ひいては、ユーザの要求に対応した信号処理を確実に行うことができ、聴取品位を向上させることができる音声再生装置を提供することを目的とするものである。
【課題を解決するための手段】
【００１８】
前述した目的を達成するため、本発明に係る音声再生装置は、音声信号処理装置が、入力音声信号のうちの可聴帯域における所定の周波数以下の周波数を有する低周波音声信号に対しては、ダウンサンプリング処理後に前記信号処理を行うように形成され、前記入力音声信号のうちの前記可聴帯域における所定の周波数よりも高い周波数を有する高周波音声信号に対しては、前記信号処理を行わないように形成されていることを特徴としている。
【００１９】
そして、このような構成によれば、音声信号処理装置によって、入力音声信号のうち、人間が聴感上変化が分かりやすい低周波音声信号のみを対象とした信号処理を、この低周波音声信号のダウンサンプリング処理後に行うことが可能となる。
【００２０】
また、本発明に係る音声再生装置は、音声信号処理装置が、高周波音声信号と信号処理が行われた後の低周波音声信号との同期を保持するように形成されていることを特徴としている。
【００２１】
そして、このような構成によれば、低周波音声信号に対するダウンサンプル処理によって位相特性が変化し、低周波音声信号に対する信号処理によって遅延時間が発生したとしても、音声信号処理装置によって、高周波音声信号と信号処理後の低周波音声信号との同期を保持することが可能となる。
【００２２】
さらに、本発明に係る音声再生装置は、音声信号処理装置が、入力音声信号を高周波音声信号と低周波音声信号とに分離する音声信号分離手段と、この音声信号分離手段によって分離された前記低周波音声信号に対してダウンサンプリング処理を行うダウンサンプリング処理手段と、このダウンサンプリング処理手段によって前記ダウンサンプリング処理が行われた前記低周波音声信号に対して前記信号処理を行う音声信号処理手段と、この音声信号処理手段によって前記信号処理が行われた前記低周波音声信号に対して前記ダウンサンプリング処理が行われる前のサンプリング周波数に戻すアップサンプリング処理を行うアップサンプリング手段と、前記音声信号分離手段によって分離された前記高周波音声信号に対して、前記アップサンプリング処理手段による前記アップサンプリング処理が行われた前記低周波音声信号との同期を保持するために時間および位相の少なくとも一方についての遅延処理を行う遅延処理手段と、この遅延処理手段によって前記遅延処理が行われた前記高周波音声信号と前記アップサンプリング処理手段によって前記アップサンプリング処理が行われた前記低周波音声信号とを混合する混合手段と、この混合手段によって混合された信号をアナログの出力音声信号に変換する変換手段とを備えたことを特徴としている。
【００２３】
そして、このような構成によれば、簡易な構成により、低周波音声信号に対するダウンサンプリング処理後の信号処理と、信号処理後の低周波音声信号に対する高周波音声信号の同期の保持とを行うことが可能となる。
【００２４】
さらにまた、本発明に係る音声再生装置は、音声信号処理装置が、ＤＳＰであることを特徴としている。
【００２５】
そして、このような構成によれば、ＤＳＰによって、入力音声信号のうち、人間が聴感上変化が分かりやすい低周波音声信号のみを対象とした信号処理を、この低周波音声信号のダウンサンプリング処理後に行うことが可能となる。
【００２６】
また、本発明に係る音声再生装置は、自動車に搭載されることを特徴としている。
【００２７】
そして、このような構成によれば、カーオーディオ機器においても、音声信号処理装置によって、入力音声信号のうち、人間が聴感上変化が分かりやすい低周波音声信号のみを対象とした信号処理を、この低周波音声信号のダウンサンプリング処理後に行うことが可能となる。
【発明の効果】
【００２８】
本発明に係る音声再生装置によれば、音声信号処理装置によって、入力音声信号のうち、人間が聴感上変化が分かりやすい低周波音声信号のみを対象とした信号処理を、この低周波音声信号のダウンサンプリング処理後に行うことができる結果、入力音声信号のサンプリング周波数にかかわらず、入力音声信号に対する信号処理に要する音声信号処理装置の処理量を低減することができる。
【００２９】
これにより、聴取品位に大きな影響を及ぼす低周波音声信号について、音声信号処理装置が一度に処理することができる処理数を増やすことができ、低周波音声信号に対して、ユーザの要求に対応した所望の信号処理（音場補正等）を確実に行うことができ、聴取品位を向上させることができる。
【００３０】
より具体的には、例えば、音の定位や周波数特性を、サンプリング周波数が低いＣＤの場合と同様に確実に調整することが可能となる。
【００３１】
また、低周波音声信号について、音声信号処理装置が一度に処理することができる処理数を増やすことができるため、低周波音声信号に対して、多種類の信号処理を並行して行うことができる。
【００３２】
さらに、近年の５．１ｃｈや６．１ｃｈ等のマルチチャンネル化にも有効に対応することができ、臨場感のある音声を再生する場合にも、ユーザの要求に応じた所望の信号処理を確実に行うことによって、ユーザの好みに応じた最適な音響空間を形成することができる。
【００３３】
また、本発明に係る音声再生装置によれば、音声信号処理装置によって、高周波音声信号と信号処理後の低周波音声信号との同期を保持することができる結果、前述した音声再生装置に比べて、さらに良好な音声を再生することができる。
【００３４】
さらに、本発明に係る音声再生装置によれば、簡易な構成により、低周波音声信号に対するダウンサンプリング処理後の信号処理と、信号処理後の低周波音声信号に対する高周波音声信号の同期の保持とを行うことができる結果、前述した音声再生装置に比べて、聴取品位に優れた音声を再生することができる音声再生装置をより安価に実現することができる。
【００３５】
さらにまた、本発明に係る音声再生装置によれば、入力音声信号のサンプリング周波数にかかわらず、入力音声信号に対する信号処理に要するＤＳＰの処理量を低減することができる。
【００３６】
これにより、ＤＳＰが一度に処理することができる処理数を増やすことができ、聴取品位に大きな影響を及ぼす低周波音声信号に対して、ユーザの要求に対応した所望の信号処理（多種類の場合も含む）を確実に行うことができ、聴取品位を向上させることができる。
【００３７】
また、本発明に係る音声再生装置によれば、入力音声信号のサンプリング周波数にかかわらず、入力音声信号に対する信号処理に要する音声信号処理装置の処理量を低減することができ、ひいては、ユーザの要求に対応した所望の信号処理（多種類の場合も含む）を確実に行うことができ、聴取品位を向上させることができるカーオーディオ機器を実現することができる。
【発明を実施するための最良の形態】
【００３８】
以下、本発明に係る音声再生装置の実施形態について、図１を参照して説明する。
【００３９】
なお、従来と、基本的構成が同一もしくはこれに類する箇所については、同一の符号を用いて説明する。
【００４０】
図１に示すように、本実施形態における音声再生装置７は、車載用の音声再生装置とされており、この音声再生装置７は、図２に示した従来の音声再生装置１と同様に、音声信号処理装置としてのＤＳＰ８を有している。
【００４１】
ただし、本実施形態においては、ＤＳＰ８の具体的な構成が従来とは大きく異なっている。
【００４２】
すなわち、本実施形態において、ＤＳＰ８は、音声信号分離手段としてのデジタルフィルタ９を有している。
【００４３】
このデジタルフィルタ９には、ＤＳＰ８の外部の音源（ＣＤ／ＤＶＤプレーヤ等）側から、所定のサンプリング周波数Ｆｓの音声信号として、１９２ｋＨｚのサンプリング周波数Ｆｓでサンプリングが行われたデジタルの入力音声信号が入力されるようになっている。
【００４４】
デジタルフィルタ９は、音源側から入力された入力音声信号を、可聴帯域における所定の周波数としての２４ｋＨｚよりも高い周波数を有する高周波音声信号と、２４ｋＨｚ以下の周波数を有する低周波音声信号とに分離して出力するようになっている。
【００４５】
これらの低周波音声信号および高周波音声信号のうち、低周波音声信号については、後述する信号処理が行われることになり、高周波音声信号については、信号処理が行われないことになる。
【００４６】
デジタルフィルタ９における低周波音声信号の出力側には、ダウンサンプリング処理手段としての第１ＳＲＣ（Sampling Rate Converter）１０が接続されており、この第１ＳＲＣ１０には、デジタルフィルタ９から出力された低周波音声信号が入力されるようになっている。
【００４７】
そして、第１ＳＲＣ１０は、デジタルフィルタ９側から入力された低周波音声信号に対してダウンサンプリング処理を行うことによって、低周波音声信号のサンプリング周波数Ｆｓを１９２ｋＨｚから４８ｋＨｚへと変換し、ダウンサンプリング処理後の低周波音声信号を出力するようになっている。
【００４８】
第１ＳＲＣ１０における低周波音声信号の出力側には、信号処理手段としての信号処理部１１が接続されており、この信号処理部１１には、第１ＳＲＣ１０側から出力されたダウンサンプリング処理後の低周波音声信号が入力されるようになっている。
【００４９】
そして、信号処理部１１は、第１ＳＲＣ１０側から入力された低周波音声信号（Ｆｓ＝４８ｋＨｚ）に対して音場補正等の信号処理を行い、信号処理後の低周波音声信号を出力するようになっている。
【００５０】
信号処理としての音場補正の具体的な内容としては、ユーザが、既に再生されている音声を聴取しながら、この再生されている音声に基づいて、音量、イコライザ（ＩＩＲフィルタ等）またはコンプレッサなどに所望の調整を施すことを挙げることができる。
【００５１】
より具体的には、車室内に設置された複数のスピーカのそれぞの音量を所望の音量に調整することや、カーオーディオに特有のフェードやバランス等の調整を行うことを挙げることができる。
【００５２】
また、車室内における前後のスピーカの音声出力のタイミングをずらすことによって、音が一方向に流れるような聴感を与えるための調整や、複数のスピーカから聴取位置までの距離の違いによる音声の到達時間や位相のずれを補正して、理想の定位に調整するタイムアライメントや、音声信号を複数のスピーカの特性に適合した周波数帯域に分割することによって音声のつながりを滑らかにするクロスオーバ等を挙げることができる。
【００５３】
その他にも、原音に忠実な再生を行うために、イコライザ等の調整によって車室内の音響特性（周波数特性等）をよりフラットな状態に近づけることや、あるいは、そのフラットな音響特性をベースに、ユーザの好みに適合した微細なチューニングを行うこと等を挙げることができる。
【００５４】
したがって、本実施形態においては、信号処理部１１によって、人間が聴感上変化が分かりやすい低周波音声信号のみを対象とした信号処理を、この低周波音声信号の第１ＳＲＣ１０によるダウンサンプリング処理後に行うことが可能となる。
【００５５】
さらに、図１に示すように、信号処理部１１における低周波音声信号の出力側には、アップサンプリング処理手段としての第２ＳＲＣ１２が接続されており、この第２ＳＲＣ１２には、信号処理部１１から出力された信号処理後の低周波音声信号が入力されるようになっている。
【００５６】
そして、第２ＳＲＣ１２は、信号処理部１１側から入力された信号処理後の低周波音声信号に対してアップサンプリング処理を行うことによって、信号処理後の低周波音声信号のサンプリング周波数を、４８ｋＨｚから元の（ダウンサンプリング処理前の）１９２ｋＨｚに戻し、アップサンプリング処理後の低周波音声信号を出力するようになっている。
【００５７】
ここで、信号処理部１１による信号処理により、低周波音声信号には、高周波音声信号に対して遅延時間が発生している。さらに、第１ＳＲＣ１０および第２ＳＲＣ１２を通過することによって、低周波音声信号には、位相特性（周波数特性）に変化（位相遅延）が生じている。
【００５８】
したがって、デジタルフィルタ９から出力された高周波音声信号を、そのまま第２ＳＲＣ１２から出力された信号処理後の低周波音声信号と混合したとしても、高周波音声信号と低周波音声信号との同期がとれていないため、良好な音声を再生することができない。
【００５９】
そこで、本実施形態においては、高周波音声信号と、第２ＳＲＣ１２から出力された低周波音声信号との同期を保持するための手段が講じられている。
【００６０】
すなわち、デジタルフィルタ９における高周波音声信号の出力側には、遅延処理手段としての遅延器（Delay）１４が接続されており、この遅延器１４には、デジタルフィルタ９から出力された高周波音声信号が入力されるようになっている。
【００６１】
そして、遅延器１４は、デジタルフィルタ９側から入力された高周波音声信号に対して、遅延処理として、低周波音声信号における遅延時間に相当する遅延時間を発生させ、遅延時間発生後の高周波音声信号を出力するようになっている。
【００６２】
さらに、遅延器１４における高周波音声信号の出力側には、遅延処理手段としての位相遅延フィルタ１５が接続されており、この位相遅延フィルタ１５には、遅延器１４から出力された遅延時間発生後の高周波音声信号が入力されるようになっている。
【００６３】
そして、位相遅延フィルタ１５は、遅延器１４側から入力された遅延時間発生後の高周波音声信号に対して、遅延処理として、低周波音声信号における位相遅延に相当する位相遅延を発生させ、位相遅延発生後の高周波音声信号を出力するようになっている。
【００６４】
したがって、本実施形態においては、遅延器１４および位相遅延フィルタ１５によって高周波音声信号に対して遅延処理を行うことにより、高周波音声信号と第２ＳＲＣ１２から出力された信号処理後の低周波音声信号との同期を保持することが可能となる。
【００６５】
第２ＳＲＣ１２における低周波音声信号の出力側であって、位相遅延フィルタ１５における高周波音声信号の出力側には、混合手段としての混合部１６が接続されている。
【００６６】
この混合部１６には、第２ＳＲＣ１２から出力された低周波音声信号と、位相遅延フィルタ１５から出力された高周波音声信号とがそれぞれ入力されるようになっている。
【００６７】
そして、混合部１６は、第２ＳＲＣ１２側から入力された低周波音声信号と、位相遅延フィルタ１５側から入力された高周波音声信号とを混合し、混合後の音声信号を出力するようになっている。
【００６８】
混合部１６における音声出力信号の出力側には、ＤＡＣ５が接続されており、このＤＡＣ５には、混合部１６から出力された混合後の音声信号が入力されるようになっている。
【００６９】
そして、ＤＡＣ５は、混合部１６側から入力された音声信号をアナログ化して出力音声信号に変換し、この出力音声信号を複数のスピーカ側に出力するようになっている。
【００７０】
なお、この出力音声信号のサンプリング周波数Ｆｓは、入力音声信号と同じ１９２ｋＨｚである。
【００７１】
これにより、スピーカからは、信号処理が行われた聴取品位に優れた良好な音声が再生されることになる。
【００７２】
次に、本実施形態の作用について説明する。
【００７３】
なお、初期状態において、便宜上、スピーカからは既に音声が再生されており、この再生されている音声を聴取しているユーザの操作によって、初期状態以降に続けて再生される音声についての信号処理を行うこととする。
【００７４】
そして、初期状態から、続けて音声を再生する際には、まず、音源側から、ＤＳＰ８のデジタルフィルタ９に、１９２ｋＨｚのサンプリング周波数Ｆｓによってサンプリングが行われたデジタルの入力音声信号が入力される。
【００７５】
次いで、デジタルフィルタ９に入力された入力音声信号は、このデジタルフィルタ９によって高周波音声信号と低周波音声信号とに分離され、高周波音声信号については、遅延器１４に対して出力され、低周波音声信号については、第１ＳＲＣ１０に対して出力される。
【００７６】
次いで、第１ＳＲＣ１０に対して出力された低周波音声信号は、第１ＳＲＣ１０によってダウンサンプリング処理が行われて４８ｋＨｚのサンプリング周波数Ｆｓの低周波音声信号に変換された後に、信号処理部１１に対して出力される。
【００７７】
次いで、信号処理部１１に対して出力されたダウンサンプリング処理後の低周波音声信号には、信号処理部１１によって、ユーザの操作に基づいた音場補正等の信号処理が行われる。
【００７８】
このとき、入力音声信号に対する信号処理、すなわち、低周波音声信号に対する信号処理に要する信号処理部１１の処理量（データ量）は、入力音声信号のサンプリング周波数Ｆｓが１９２ｋＨｚであるにもかかわらず、ダウンサンプリング処理によって４８ｋＨｚのサンプリング周波数Ｆｓに相当する処理量に低減されている。
【００７９】
これにより、低周波音声信号に対して、ユーザの要求に応じた所望の信号処理を確実に行うことができる。
【００８０】
また、低周波音声信号に対して、多種類の信号処理を並行して行うことができる。例えば、再生されている音声のうちの特定の周波数の音の音量を上げる処理と、複数のスピーカのうちの特定のスピーカの音量を上げる処理とを並行して行うことができる。
【００８１】
信号処理部１１による信号処理後の低周波音声信号は、信号処理部１１から第２ＳＲＣ１２に対して出力される。
【００８２】
次いで、第２ＳＲＣ１２に対して出力された信号処理後の低周波音声信号は、第２ＳＲＣ１２によってアップサンプリング処理が行われて１９２ｋＨｚのサンプリング周波数Ｆｓの低周波音声信号に変換された後に混合器１６に対して出力される。
【００８３】
一方、デジタルフィルタ９から遅延器１４に対して出力された高周波音声信号は、遅延器１４によって遅延時間を発生させられた後（遅延時間発生後）に位相遅延フィルタ１５に対して出力される。
【００８４】
次いで、位相遅延フィルタ１５に対して出力された遅延時間発生後の高周波音声信号は、位相遅延フィルタ１５によって位相遅延を発生させられた後（位相遅延発生後）に混合器１６に対して出力される。
【００８５】
混合器１６に対して出力された第２ＳＲＣ１２によるアップサンプリング処理後の低周波音声信号と位相遅延フィルタ１５による位相遅延発生後の高周波音声信号とは、この混合器１６によって混合された後に、混合後の音声信号としてＤＡＣ５に対して出力される。
【００８６】
そして、ＤＡＣ５に対して出力された混合後の音声信号は、ＤＡＣ５によってアナログの出力音声信号に変換された後にスピーカ側に出力されて再生される。
【００８７】
このとき、出力音声信号は、低周波音声信号についての信号処理が十分になされているため、ユーザは、聴取品位に優れた音声を聴取することができる。
【００８８】
以上述べたように、本実施形態における音声再生装置によれば、ＤＳＰ８の信号処理部１１によって、人間が聴感上変化が分かりやすい低周波音声信号のみを対象とした信号処理を、この低周波音声信号のダウンサンプリング処理後に行うことができる結果、入力音声信号のサンプリング周波数にかかわらず、入力音声信号（低周波音声信号）に対する信号処理に要するＤＳＰ８の処理量を低減することができる。
【００８９】
これにより、ＤＳＰ８が一度に処理することができる処理数を増やすことができ、聴取品位に大きな影響を及ぼす低周波音声信号に対して、ユーザの要求に対応した音場補正等の所望の信号処理を確実に行うことができ、聴取品位を向上させることができる。
【００９０】
具体例として、信号処理部３，１１が、イコライザの９Bandの機能（2Channel）を有する場合について考える。
【００９１】
この場合、まず、従来の音声再生装置１におけるＤＳＰ２の処理量をMips(Million Instruction Per Second）単位で表すと、信号処理の際の入力音声信号のサンプリング周波数Ｆｓが１９２ｋＨｚであるので、フィルタの１Bandにつき２．８８Mipsとなり、合計で、２．８８×２×９＝５１．８４Mipsとなる。
【００９２】
これに対し、本実施形態の音声再生装置７では、信号処理の際の入力音声信号すなわち低周波音声信号のサンプリング周波数Ｆｓが４８ｋＨｚであるので、フィルタの１Bandにつき０．７２Mipsとなり、合計で、０．７２×２×９＝１２．９６Mipsとなる。
【００９３】
すなわち、この具体例でいえば、本実施形態の音声再生装置７は、従来の音声再生装置１に比べてＤＳＰの処理量を１／４に低減することができる。
【００９４】
現状においては、最新のＤＰＳであっても、アキュームレータ１個あたり２００Mipsが限度となっているため、この処理量の差は非常に大きなものである。
【００９５】
なお、本発明は、前述した実施の形態に限定されるものではなく、必要に応じて種々の変更が可能である。
【００９６】
例えば、本発明は、車載用の音声再生装置（カーオーディオ機器）に限らず、ホームオーディオ機器等にも適用可能なものである。
【００９７】
また、前記実施形態におけるサンプリング周波数Ｆｓについての具体的な数値（１９２ｋＨｚ、４８ｋＨｚ）は、単なる一例を示したものに過ぎず、前述した数値以外のサンプリング周波数を選択してもよいことは勿論である。このことは、高周波音声信号と低周波音声信号との境界を定める可聴帯域における所定の周波数（前記実施形態において２４ｋＨｚ）についても同様である。
【図面の簡単な説明】
【００９８】
【図１】本発明に係る音声再生装置の実施形態を示すブロック図
【図２】従来から採用されている音声再生装置の実施形態の一例を示すブロック図
【符号の説明】
【００９９】
５  ＤＡＣ
７  音声再生装置
８  ＤＳＰ
９  デジタルフィルタ
１０  第１ＳＲＣ
１１  信号処理部
１２  第２ＳＲＣ
１４  遅延器
１５  位相遅延フィルタ
１６  混合部
【図１】
2007041298.tif 000003
【図２】
2007041298.tif 000004